(57)【要約】【課題】標準ディスクにおいて各サブビームの位相差を差動プッシュプル法に最適に設定した場合、標準ディスクより信号トラックピッチが十数％狭く、かつプッシュプル信号が得難い特殊ディスクでは、３ビーム法に対応するトラッキングエラー信号レベルのレンジが狭く実用にならないので、これを解決する。【解決手段】標準ディスクの信号トラックピッチの位相差を２π（ｒａｄ）とした場合、前記各サブビーム間の位相差を設定する目標を差動プッシュプル法に最適な２π（ｒａｄ）より略π／４（ｒａｄ）大きな角度とし、標準ディスクより信号トラックピッチが十数％狭い特殊ディスクにおいて３ビーム法に対応するトラッキングエラー信号の信号レベルのレンジが拡大されるように設定する。これにより前記特殊ディスクにおいて３ビーム法によるトラッキングエラー信号が実用可能なレンジに確保されるようにしている。【選択図】    図３
2004273042.tif 000002
【特許請求の範囲】
【請求項１】
ディスクの記録再生に使用されるメインビームとこのメインビームの前後に配置される各サブビームとの３ビームをディスクに照射し、差動プッシュプル法によるトラッキング制御に対応させた光学ヘッド装置において、所定の規格に則った標準ディスクの信号トラックピッチの位相差を２π（ｒａｄ）とした場合、前記各サブビーム間の位相差を設定する目標を差動プッシュプル法に最適な２π（ｒａｄ）より略π／４（ｒａｄ）大きな角度とし、標準ディスクより信号トラックピッチが十数％狭い特殊ディスクにおいて３ビーム法に対応するトラッキングエラー信号の信号レベルのレンジを前記各サブビーム間の位相差が２π（ｒａｄ）である場合に比べて広く設定するようにしたことを特徴とする光学ヘッド装置。
【請求項２】
標準ディスクの信号トラックピッチの位相差に対する各サブビーム間の目標設定位相差の割合を標準ディスクの信号トラックピッチに乗算した値の信号トラックピッチを有する調整ディスクにより３ビームの配置が調整されることを特徴とする請求項１記載の光学ヘッド装置。
【請求項３】
請求項１記載の光学ヘッド装置を備える光ディスク装置において、差動プッシュプル法及び３ビーム法のそれぞれのトラッキング制御方法に対応して生成される各トラッキングエラー信号を選択可能とし、差動プッシュプル法に対応するトラッキングエラー信号が所定レベルに達しない際に、３ビーム法に対応するトラッキングエラー信号を選択するようにした光学ヘッド装置を備える光ディスク装置。
【発明の詳細な説明】
【０００１】
【発明の属する技術分野】
本発明は、ディスクの記録再生に使用されるメインビームとこのメインビームの前後に配置される各サブビームとの３ビームをディスクに照射し、差動プッシュプル法及び３ビーム法によるトラッキング制御に対応させた光学ヘッド装置、及びこの光学ヘッド装置を備える光ディスク装置に関し、特に、ディスク上に照射される３ビームの配置を工夫した光学ヘッド装置、及びこの光学ヘッド装置を備える光ディスク装置に関する。
【０００２】
【従来の技術】
ディスクに対して光学的に信号の記録再生を行う光学ヘッド装置は、周知の如く、半導体レーザーから出射されるレーザービームを回折格子により回折して回折光ビームを形成し、０次光ビームの他に±１次回折光ビームを形成して３ビームとすることが行なわれており、０次光ビームのメインビームをディスクの信号トラックに追従させるトラッキング制御の方式として３ビーム法や差動プッシュプル法に対応させている機種が主流になっている。
【０００３】
ところで、ＣＤ−Ｒ／ＲＷドライブの如く、記録可能な光ディスク装置においては、±１次回折光ビームの各サブビームがメインビームに対して先行及び後行することになり記録時に前記各サブビームがそれぞれ記録前及び記録後の信号トラックをトレースすることになるので、各サブビームの反射ビームの光量が相違することから、また光利用効率の関係から記録可能な光ディスク装置においては一般にトラッキングサーボに差動プッシュプル方式が採用されている。
【０００４】
この差動プッシュプル方式のトラッキングサーボに用いられるトラッキングエラー信号を得る場合、光学ヘッドからディスクに出射する３ビームのうち、メインビームを信号トラック上に配置すると共に、２つのサブビームをそれぞれメインビームが配置された信号トラックとそれぞれ異なる方向の隣接信号トラックとの中央に配置し、光検出器のメインビームに対応する受光出力から演算されるメインプッシュプル信号と光検出器の各サブビームに対応する受光出力から演算されるサブプッシュプル信号とをそれぞれ演算し、メインプッシュプル信号とサブプッシュプル信号とを所定の合成比に調整した後、これらの信号の差分を演算してトラッキングエラー信号生成回路によりトラッキングエラー信号を生成する。
【０００５】
ところで、プッシュプル方式は、単なるプッシュプル法であっても差動プッシュプル法であってもディスクの信号トラック（またはピット）の深さが光学ヘッド装置のレーザー波長の略１／４であると、トラッキングエラー信号が得られない問題がある。
【０００６】
その為、光ディスク装置においては、プッシュプル法の他に他のトラッキング方式（例えば３ビーム法や位相差法）のトラッキング制御の両方を行えるようにし、信号トラックの深さがレーザー波長の略１／４であるディスクの場合にプッシュプル法以外のトラッキング方式を採用してそのディスクでのトラッキング制御を達成するものが知られている（例えば、特許文献１参照）。
【０００７】
【特許文献１】
特開２０００−２３５７１７号公報
【０００８】
【発明が解決しようとする課題】
ところで、ＣＤを基にしながら信号トラックのピッチがＣＤ規格に則っていない１．３５μｍ±０．３μｍとしてＣＤと同一ディスク径で同一変調方式によりＣＤより高容量化を図った特殊ＣＤビデオディスク、いわゆるＳＶＣＤ（Ｓｕｐｅｒ  Ｖｉｄｅｏ  ＣＤ）（あるいはＤＶＣＤ（ｄｉｇｉｔａｌ  Ｖｉｄｅｏ  ＣＤ））が中華人民共和国内で普及している。
【０００９】
このＳＶＣＤは、ＣＤ−ＲＯＭドライブ等の再生専用の光ディスク装置によって再生されることを想定していると思われ、再生専用の光ディスク装置において主流となっている３ビーム法に対して良好なトラッキングエラー信号が得られるように信号トラックの深さがレーザー波長の略１／４となっているものがある。
【００１０】
ところが、記録可能な光ディスク装置の場合、先に述べた理由によりトラッキング方式として差動プッシュプル法が好適であり、ＣＤの再生専用の標準ディスクの場合にはこの差動プッシュプル法であっても有効に動作するので、記録可能な光ディスク装置の場合、トラッキング方式として差動プッシュプル法のみが採用されることが多い。
【００１１】
したがって、このようにトラッキング方式として差動プッシュプル法のみを採用した光ディスク装置の場合、前記ＳＶＣＤのトラッキング制御を行えない問題が生じた。
【００１２】
この問題を解決するには、記録可能な光ディスク装置において、先に示した特許文献１のように、トラッキング方式として差動プッシュプル法の他に３ビーム法を選択的に使用可能とし、前記ＳＶＣＤを再生する場合に３ビーム法を使用することが有効である。
【００１３】
しかしながら、差動プッシュプル法と３ビーム法とではディスクの信号トラックに対する各サブビームの最適な位相差が相違するので、単一の光学ヘッド装置を差動プッシュプル法と３ビーム法との両トラッキング制御方式に対応させる場合、各サブビームを設定する位相差によって３ビーム法、あるいは差動プッシュプル法によるトラッキングエラー信号が得られなくなる不具合が発生した。
【００１４】
すなわち、図２に示す如く、差動プッシュプル法の場合、図２の実線に示すように、メインビームの光スポットＳ１が信号トラックＴ１上に正しく位置するオントラック状態において、メインビームの光スポットＳ１よりそれぞれ先行するサブビームの光スポットＳ２ａ及び後行するサブビームの光スポットＳ３ａは前記信号トラックＴ１とこの信号トラックＴ１のそれぞれ右及び左に隣接する信号トラックＴ２及びＴ３との中央に配置されることにより信号レベルのレンジの広い良好なトラッキングエラー信号が得られ、一方、３ビーム法の場合、図２の破線に示すように、メインビームの光スポットＳ１が信号トラックＴ１上に正しく位置するオントラック状態において、先行するサブビームの光スポットＳ２ｂ及び後行するサブビームの光スポットＳ３ｂはそれぞれ左右逆方向にずらして前記信号トラックＴ１に半分かかった状態に配置されることにより信号レベルのレンジの広い良好なトラッキングエラー信号が得られる。
【００１５】
図３には、ＣＤの標準ディスクにおける各サブビーム同士の位相差に対するトラッキングエラー信号レベルの比率が差動プッシュプル法及び３ビーム法においてそれぞれ実線及び破線に示されている。
【００１６】
すなわち、図２の実線に示す各サブビームのスポット配置は、標準ディスクにおいて各サブビームの位相差が差動プッシュプル法に最適の２π（ｒａｄ）に設定されており、一方、標準ディスクにおいて３ビーム法では全くトラッキングエラー信号が得られない状態となっている。
【００１７】
ＳＶＣＤの場合は、信号トラックのピッチがＣＤの標準ディスクより約１５．６％狭い１．３５μｍのため、図３の一点鎖線に示すように、標準ディスクにおいて各サブビームの位相差を差動プッシュプル法に最適に設定した場合であっても理論上はトラッキングエラー信号レベル比率が差動プッシュプル法の半分程度は得られるので、３ビーム法によるトラッキング制御が可能となる。
【００１８】
しかしながら、差動プッシュプル法に対応させて各サブビームの位相差を調整する場合、その調整精度は性能面及び生産性を考慮して標準ディスクの信号トラックのピッチを２π（ｒａｄ）とした場合に±π／４（ｒａｄ）程度ばらつきを許容している。
【００１９】
その為、各サブビームの位相差の調整精度のマージン及びディスクのばらつきに因るトラックピッチの誤差によりＳＶＣＤを３ビーム法によるトラッキング制御が行えなくなる問題が発生した。
【００２０】
【課題を解決するための手段】
本発明は、所定の規格に則った標準ディスクの信号トラックピッチの位相差を２π（ｒａｄ）とした場合、前記各サブビーム間の位相差を設定する目標を差動プッシュプル法に最適な２π（ｒａｄ）より略π／４（ｒａｄ）大きな角度とし、標準ディスクより信号トラックピッチが十数％狭い特殊ディスクにおいて３ビーム法に対応するトラッキングエラー信号の信号レベルのレンジを前記各サブビーム間の位相差が２π（ｒａｄ）である場合に比べて広く設定するようにしている。これにより各サブビームの位相差の調整精度がばらついても前記特殊ディスクにおいて３ビーム法によるトラッキングエラー信号が実用可能なレンジを確保するようにしている。
【００２１】
【実施例】
図１は本発明に係る光学ヘッド装置の光学系を示す構成図であり、図１に示す光学ヘッド装置はＣＤ規格のディスクに対応しており、差動プッシュプル法及び３ビーム法の両トラッキング制御に対応されている。
【００２２】
レーザーダイオード１から発生されるレーザービームは、回折格子２により回折された後にハーフミラー３の表面により反射され、対物レンズ１に入射されて該対物レンズ４により集光されてディスクｄに到達される。
【００２３】
ディスクｄにより反射された反射ビームは、対物レンズ４に戻り、ハーフミラー３を通過してフォーカス制御に利用する非点収差が付与され、その後、光検出器５に受光される。
【００２４】
上述の光学ヘッド装置は、回折格子２によるレーザービームの回折により０次回折光のメインビームの他に、±１次回折光の２つのサブビームが形成され、３ビームをディスクｄに照射する。この際、ＣＤの標準ディスク（信号トラックピッチ１．６μｍ）における各サブビーム同士の位相差は、標準ディスクの信号トラックピッチ１．６μｍを位相差２π（ｒａｄ）とした場合、２π＋π／４（ｒａｄ）を目標に設定されている。
【００２５】
ところで、ＣＤの標準ディスクにおいて、各サブビーム同士の位相差に対するトラッキングエラー信号レベルの比率は、差動プッシュプル法及び３ビーム法においてそれぞれ図３の実線及び破線に示される。
【００２６】
図３から明白なように各サブビームの位相差をトラッキングエラー信号レベルの比率が１．００となる差動プッシュプル法に最適な２π（ｒａｄ）に設定した際には、３ビーム法においてトラッキングエラー信号レベルの比率が０．００となり、３ビーム法によるトラッキングエラー信号は実用不可となる。
【００２７】
ＳＶＣＤの場合、信号トラックのピッチが１．３５μｍと、ＣＤの標準のトラックピッチに比べて０．２５μｍ狭いので、各サブビーム同士の位相差に対するトラッキングエラー信号レベルの比率が３ビーム法において図３の一点鎖線に示されるとおりとなり、この場合、理論上は差動プッシュプル法に最適な２π（ｒａｄ）におけるトラッキングエラー信号レベルの比率が０．５０を僅かに越えた値となり、３ビーム法によるトラッキングエラー信号が一応実用可能となる。
【００２８】
しかしながら、各サブビームの位相差を２π（ｒａｄ）に設定した場合には、３ビームの位置調整時の位相差マージン及びディスクのばらつきに因るトラックピッチの誤差によりトラッキングエラー信号レベルの比率が実用不可の値となってしまう場合が発生する。
【００２９】
そこで、本発明では、前記各サブビーム間の位相差を設定する目標を差動プッシュプル法に最適な２π（ｒａｄ）よりπ／４（ｒａｄ）大きな角度としている。前記各サブビームの位置調整時の位相差マージンは、精度及び生産性を考慮して±π／４（ｒａｄ）としているが、前記各サブビームの位置調整が目標の２π＋π／４（ｒａｄ）から−π／４（ｒａｄ）ずれても３ビーム法によるＳＶＤＣのトラッキングエラー信号レベルの比率が０．５０を僅かに越えた値となり、トラッキングエラー信号が実用可能となる。
【００３０】
次に、このように各サブビーム同士の位相差が設定される光学ヘッド装置からディスクに照射される３ビームの配置の調整方法について説明する。
【００３１】
光学ヘッド装置において、３ビームの配置調整が行なわれる際には調整ディスクが使用される。
【００３２】
この調整ディスクは、ＣＤの標準ディスクの信号トラックピッチ１．６μｍの位相差２π（ｒａｄ）に対する各サブビーム間の目標設定位相差２π＋π／４（ｒａｄ）の割合を標準ディスクの信号トラックピッチ１．６μｍに乗算した値の信号トラックピッチを有している。
【００３３】
すなわち、（２π＋π／４）／２π×１．６μｍ＝１．８μｍの信号トラックピッチを有する調整ディスクを用いて３ビームの配置調整が行なわれる。
【００３４】
これにより調整方法を変えずに、従来の１．６μｍの信号トラックピッチを有する調整ディスクを用いた場合に比べて各サブビーム間の目標設定位相差が＋π／４（ｒａｄ）となり、各サブビーム間の目標設定位相差２π＋π／４（ｒａｄ）とすることが出来る。
【００３５】
次に、このように各サブビーム同士の位相差が設定される光学ヘッド装置を備える光ディスク装置のトラッキング制御を行う回路部分に関して図４に示す回路図を用いて説明する。
【００３６】
図４において、図１に示す光学ヘッド装置によりディスクｄに照射される３ビームのうち、メインビームとなる０次回折光ビームと、トラッキング制御に用いられる先行及び後方の各サブビームとなる±１次回折光ビームとがそれぞれディスクに照射されている状態を示しており、前記各サブビームがそれぞれ照射されて形成される各サブスポットＳｓ１，Ｓｓ２の位相差は、２π＋π／４（ｒａｄ）を目標に設定されている。
【００３７】
尚、信号トラックｎはメインビームのメインスポットＳｍがオントラックで照射される信号トラックを示し、信号トラック（ｎ−１）及び信号トラック（ｎ＋１）はそれぞれ信号トラックｎの内周側及び外周側に隣接する信号トラックを示している。
【００３８】
光学ヘッド装置の光検出器には、メインビーム及び各サブビームの各反射光をそれぞれ受光するメイン受光領域Ａ及び一対のサブ受光領域Ｂ，Ｃが設けられている。
【００３９】
前記メイン受光領域Ａは、直交する２本の分割線により４つの受光素子に分割されており、前記各分割線はハーフミラー３により非点収差が発生される非点収差発生方向に対してそれぞれπ／４（ｒａｄ）を成す方向に設定されている。
【００４０】
その為、４つの受光素子の各対角線上の受光素子における受光出力をそれぞれ加算し、その加算した各受光出力の差を演算することによる非点収差法によりディスクｄの信号面上におけるメインビームの焦点の位置ズレ度合を示すフォーカスエラー信号が得られる。
【００４１】
一対のサブ受光領域Ｂ，Ｃにおいては、光検出器５上に投影される信号トラックの方向に対応する方向の分割線によりそれぞれ２分割されており、その分割された各受光素子はそれぞれ受光量に対応した受光出力を発生する。
【００４２】
尚、フォーカス制御に関しては本発明に直接関係しないので、フォーカスエラー信号を生成する回路は省略している。
【００４３】
メイン受光領域Ａにおいてこの受光領域上に投影される信号トラック方向に対応する並びの各受光素子の各受光出力はそれぞれ加算されて加算受光出力ａ１及びａ２となり、この各加算受光出力ａ１及びａ２は第１差動アンプ１１に供給され、この第１差動アンプ１１より各加算受光出力ａ１及びａ２の差分出力（ａ１−ａ２）が得られる。
【００４４】
一方、サブ受光領域Ｂの各受光素子から発生されるそれぞれの受光出力ｂ１及びｂ２は第２差動アンプ１２によりその受光出力ｂ１及びｂ２の差分出力（ｂ１−ｂ２）が得られ、サブ受光領域Ｃの各受光素子から発生されるそれぞれの受光出力ｃ１及びｃ２は第３差動アンプ１３によりその受光出力ｃ１及びｃ２の差分出力（ｃ１−ｃ２）が得られる。
【００４５】
第２差動アンプ１２による差分出力（ｂ１−ｂ２）と第３差動アンプ１３による差分出力（ｃ１−ｃ２）とは、加算器１４により加算される。この加算器１４により得られる第２差動アンプ１２による差分出力（ｂ１−ｂ２）と第３差動アンプ１３の差分出力（ｃ１−ｃ２）とを加算した加算出力（ｂ１−ｂ２）＋（ｃ１−ｃ２）は、レベル調整アンプ１５によるゲインｇ１によりレベル調整された後、第４差動アンプ１６の一方の入力端、この場合反転入力端に入力される。
【００４６】
一方、前記第４差動アンプ１６の他方の入力端の非反転入力端には、第１差動アンプ１１による差分出力（ａ１−ａ２）が入力されるので、前記第４差動アンプ１６はレベル調整アンプ１５によりレベル調整した加算器１４による加算出力ｇ１（（ｂ１−ｂ２）＋（ｃ１−ｃ２））と第１差動アンプ１１による差分出力（ａ１−ａ２）との差分出力｛（ａ１−ａ２）−ｇ１（（ｂ１−ｂ２）＋（ｃ１−ｃ２））｝を発生する。
【００４７】
この前記第４差動アンプ１６から発生される差分出力は、差動プッシュプル法によるトラッキングエラー信号（ＴＥ信号）となり、信号トラックの深さが光学ヘッド装置のレーザー波長の略１／４以外であるディスク、特に記録用ディスクのトラッキング制御に好適なトラッキングエラー信号となる。
【００４８】
また、サブ受光領域Ｂの各受光素子から発生されるそれぞれの受光出力ｂ１及びｂ２は、それぞれ第１加算アンプ１７に入力され、該第１加算アンプ１７は前記受光出力ｂ１及びｂ２を加算してそれらの加算出力（ｂ１＋ｂ２）を発生する。
【００４９】
一方、サブ受光領域Ｃの各分割領域から発生されるそれぞれの受光出力ｃ１及びｃ２は、それぞれ第２加算アンプ１８に入力され、該第２加算アンプ１８は前記受光出力ｃ１及びｃ２を加算してそれらの加算出力（ｃ１＋ｃ２）を発生する。
【００５０】
前記第１加算アンプ１７の加算出力（ｂ１＋ｂ２）と前記第２加算アンプ１８の加算出力（ｃ１＋ｃ２）とは、互いの出力レベルを合わせるべく一方の加算アンプ、この場合第２加算アンプ１８の加算出力（ｃ１＋ｃ２）がレベル調整アンプ１９によるゲインｇ２によりレベル調整されて第５差動アンプ２０にそれぞれ入力され、この第５差動アンプ２０はレベル調整アンプ１９を介したレベル調整された第２加算アンプ１８の加算出力ｇ２（ｃ１＋ｃ２）から第１加算アンプ１７の加算出力（ｂ１＋ｂ２）を引いた差分出力ｇ２（ｃ１＋ｃ２）−（ｂ１＋ｂ２）を発生する。この差分出力ｇ２（ｃ１＋ｃ２）−（ｂ１＋ｂ２）は３ビーム法によるトラッキングエラー信号（ＴＥ信号）となり、信号トラックの深さが光学ヘッド装置のレーザー波長の略１／４であるディスク、特にＳＶＣＤのトラッキング制御に好適なトラッキングエラー信号となる。
【００５１】
ところで、第４差動アンプ１７及び第５差動アンプ２０からそれぞれ出力される差動プッシュプル法に対応するトラッキングエラー信号及び３ビーム法に対応するトラッキングエラー信号は選択スイッチ２１により選択的に後段の回路に供給されて使用されるようになっており、前記選択スイッチ２１は切換制御回路２２によって選択するトラッキングエラー信号が切り換えられる。
【００５２】
切換制御回路２２は初期状態時に差動プッシュプル法に対応するトラッキングエラー信号を選択するべく選択スイッチ２１を第４差動アンプ１７側に切り換え、この第４差動アンプ１７からのトラッキングエラー信号の出力レベルが基準レベルに達している場合は選択スイッチ２１を第４差動アンプ１７側に保持し、前記出力レベルが基準レベルに達しない状態になると、選択スイッチ２１を第５差動アンプ２０側に切り換え、３ビーム法に対応するトラッキングエラー信号を選択するようになっている。
【００５３】
その為、信号トラックの深さが光学ヘッド装置のレーザー波長の略１／４以外の通常の標準ディスクを再生、あるいは記録する場合、通常トラッキングエラー信号の出力レベルが基準レベル以上になるので、切換制御回路２２により差動プッシュプル法に対応するトラッキングエラー信号が選択されるようになり、一方、信号トラックの深さが光学ヘッド装置のレーザー波長の略１／４であるＳＶＣＤ等のディスクを再生する場合、トラッキングエラー信号の出力レベルが基準レベルに達しない状態になるので、切換制御回路２２により３ビーム法に対応するトラッキングエラー信号が選択されるようになる。
【００５４】
すなわち、光学ヘッド装置の光ビームの調整は、各サブビームの位相差が図３のハッチングが施された範囲となっているので、標準ディスク及びＳＶＣＤのいずれのトラックピッチのディスクであってもそれぞれ差動プッシュプル法及び３ビーム法に対応するトラッキングエラー信号により正常なトラッキング制御を行える。
【００５５】
【発明の効果】
以上述べた如く、本発明に依れば、各サブビーム間の位相差を設定する目標を差動プッシュプル法に最適な２π（ｒａｄ）より略π／４（ｒａｄ）大きな角度としているので、差動プッシュプル法によるトラッキング制御を可能とした上で、標準ディスクより信号トラックピッチが十数％狭い特殊ディスクにおいて３ビーム法に対応するトラッキングエラー信号をトラッキング制御が可能な信号レベルのレンジに確保できる。
【００５６】
また、本発明の光学ヘッド装置は、標準ディスクの信号トラックピッチの位相差に対する各サブビーム間の目標設定位相差の割合を標準ディスクの信号トラックピッチに乗算した値の信号トラックピッチを有する調整ディスクにより３ビームの配置が調整されるので、３ビームの配置を調整する調整方法を変えずに、各サブビーム間の位相差を設定する目標を差動プッシュプル法に最適な２π（ｒａｄ）より略π／４（ｒａｄ）大きな角度とすることが容易に達成できる。
【００５７】
また、本発明の光学ヘッド装置を備える光ディスク装置は、差動プッシュプル法に対応するトラッキングエラー信号が所定レベルに達しない際に、３ビーム法に対応するトラッキングエラー信号を選択するようにしているので、標準ディスクにおいては差動プッシュプル法によるトラッキング制御が行なわれ、ディスクの記録再生に対応されると共に、差動プッシュプル法によるトラッキング制御が不可能なディスクにおいては３ビーム法によるトラッキング制御が行なわれ、標準ディスクより信号トラックピッチが十数％狭い特殊ディスクにおいても３ビーム法によりトラッキング制御を行うことが可能となる。
【図面の簡単な説明】
【図１】本発明に係る光学ヘッド装置の光学系を示す構成図である。
【図２】光学ヘッド装置から出射される３ビームの従来の信号トラックへのかかり方を説明する説明図である。
【図３】各サブビーム同士の位相差に対するトラッキングエラー信号レベルの比率を説明する特性図である。
【図４】本発明に係る光学ヘッド装置を備える光ディスク装置のトラッキング制御を行う回路部分を示す回路図である。
【符号の説明】
１          レーザーダイオード
２          回折格子
５          光検出器
１１，１２，１３，１７，１８      差動アンプ
１８，１９      加算アンプ
２１          選択スイッチ
２２          切換制御回路
Ａ          メイン受光領域
Ｂ，Ｃ      サブ受光領域
【図１】
2004273042.tif 000003
【図２】
2004273042.tif 000004
【図３】
2004273042.tif 000005
【図４】
2004273042.tif 000006